(57)【要約】【課題】灯具本体の落下を防止でき且つ施工作業が容易な照明器具を提供する。【解決手段】灯具本体１０の先端部に取り付けたラッチ部材６１と蓋体２０の先端部に取り付けたラッチ受け金具８０とでラッチ装置６を構成し、蓋体２０の先端部に設けたロック用フック８３と灯具本体１０の先端部に設けたロック部７２とで落下防止装置７を構成している。蓋体２０を閉める時には、蓋体２０の先端部が灯具本体１０の先端部に近づくように蓋体２０を回動させれば、ロック部７２の誘導片７３にロック用フック８３が当接し、ラッチ押え金具７０が撓むので、ロック用フック８３をロック部７２のロ字状のロック体７２ａの内側に容易に導入することができる。そして、蓋体２０を閉じた状態でラッチ部材６１を手操作してラッチ突起６１ａをラッチ受け金具８０の係止片８２に引掛係止させることで、蓋体２０が灯具本体１０の上面を塞いだ状態を保持することができる。【選択図】　　　図１
2004079241.tif 000002
【特許請求の範囲】
【請求項１】
上面開口し光源を保持するとともに支柱に取り付けるための取付部を一端部に有する灯具本体と、灯具本体の上面を開放する位置と塞ぐ位置との間で開閉自在となるように灯具本体の支柱側の上記一端部に枢着される蓋体と、灯具本体および蓋体それぞれにおいて支柱から遠い側の各先端部の一方に取り付けたラッチ部材を他方に取り付けたラッチ受け部材に引掛係止して蓋体により灯具本体の上面を塞いだ状態を保持するラッチ装置と、上記各先端部の一方に設けたロック用フックと他方に設けたロック部とが上下方向において互いに引っ張り合うように噛み合うことにより灯具本体の落下を防止する落下防止装置とを備えてなることを特徴とする照明器具。
【請求項２】
前記ロック部は、前記蓋体を閉じた状態で前記ロック用フックが内側に配置されるロ字状の形状に形成されたロック体と、ロック体の上端縁から斜め上方へ延設され前記蓋体を閉じる時に前記ロック用フックをロック体の内側へ誘導する誘導片とを有することを特徴とする請求項１記載の照明器具。
【請求項３】
前記ロック用フックは、前記ラッチ受け部材から連続一体に延設されてなることを特徴とする請求項１または請求項２記載の照明器具。
【請求項４】
前記ロック用フックは、上記各先端部の一方の一部と、前記ラッチ受け部材とで構成されてなることを特徴とする請求項１または請求項２記載の照明器具。
【発明の詳細な説明】
【０００１】
【発明の属する技術分野】
本発明は、ポールやアームなどの支柱の先端部に取り付けて使用する照明器具に関するものである。
【０００２】
【従来の技術】
従来から、いわゆる道路灯としてポールやアームなどの支柱の先端部に取り付けて使用する照明器具が提供されている。この種の照明器具は、例えば、図８ないし図１０に示すように、上面開口した箱状であってランプ３１を保持するとともに一端部がポールからなる支柱５０の先端部５１（図１０および図１１参照）に取り付けられる灯具本体１０と、灯具本体１０の上面を開放する位置と塞ぐ位置との間で開閉自在となるように灯具本体１０の上記一端部に蝶番４０によって枢着された蓋体２０とで構成される外郭１を備え、外郭１内にランプ３１、ランプ３１を着脱自在に保持するランプソケット３２、反射板３３などが収納されている。なお、灯具本体１０の下壁にはランプ３１の光を外部へ取り出すための窓孔（図示せず）が形成されており、灯具本体１０の内側に、窓孔を覆うガラス板のような透光板１６を保持した窓枠１７が取着されている。
【０００３】
また、灯具本体１０には、図１０に示すように、電源電線３４が接続される端子台３５、電源電線３４のアース線が接続されるアース端子３６なども取り付けられている。なお、電源電線３４は端子台３５の近傍において灯具本体１０に取着される押え金具３７によって押えられている。
【０００４】
ところで、上述の照明器具は、蓋体２０を閉じた状態で簡単に開かないように、蓋体２０において支柱５０から遠い側の他端部（先端部）に設けたラッチ部材４１と、灯具本体１０において支柱５０から遠い側の他端部（先端部）に設けたラッチ受け部４３とからなるラッチ装置を備えており、ラッチ部材４１をラッチ受け部４３に引掛係止して蓋体２０により灯具本体１０の上面を塞いだ状態を保持させている。
【０００５】
また、上述の照明器具では、ラッチ部材４１をラッチ受け部４３に引掛係止させるのを忘れたり、ラッチ受け部４３へのラッチ部材４１の引掛係止が外力によって外れた状況において、振動や風などによって蓋体２０が開くのを防止するために、ラッチ部材４１を蓋体２０へ固定する開き防止ねじ４２をラッチ部材４１に設け、蓋体２０を閉じた状態で開き防止ねじ４２を締め付けることでラッチ部材４１を蓋体２０に対して動かないように固定するようになっている。なお、この開き防止ねじ４２を灯具本体１０に対して締め付けるようにした構造のものも提案されている。
【０００６】
また、上述の照明器具は、支柱５０の先端部５１に取り付けられるものであるから、比較的高い位置に配置されるが、自動車などが支柱５０に衝突した衝撃などで灯具本体１０が破損して落下するのを防止するために、図１１に示すように、支柱５０の円筒状の先端部５１の内部空間にあらかじめ、径方向に沿ってワイヤ引掛用の丸棒５２を配置して丸棒５２の両端部を先端部５１の内周面に溶接しておき、落下防止用ワイヤ３８の一端側を丸棒５２に引っ掛け、落下防止用ワイヤ３８の他端側を図１０に示すように灯具本体１０に固定ねじ３９を用いて取り付けるようにしている。
【０００７】
【発明が解決しようとする課題】
しかしながら、上記従来構成の照明器具では、施工時に、支柱５０の先端部５１にあらかじめ設けられた丸棒５２と灯具本体１０とを落下防止用ワイヤ３８で繋ぐ必要があり、施工作業が面倒であった。しかも、支柱５０の先端部５１の内周面にあらかじめ丸棒５２の両端部を溶接しておく必要があり、施工時には丸棒５２を取り付けることができなかった。また、施工時に、蓋体２０を閉めてから、ラッチ部材４１をラッチ受け部４３に引掛係止し、その後、開き防止ねじ４２を締め付ける必要があり、施工作業がさらに面倒となっていた。しかも、開き防止ねじ４２を締め付ける作業を忘れてしまうこともあった。
【０００８】
また、上記従来構成の照明器具では、固定ねじ３９の取付部位よりも灯具本体１０の先端側で灯具本体１０が破断した場合、破断箇所よりも先端側の部分に対して落下防止用ワイヤ３８が落下防止機能を果たさなくなるので、ラッチ部材４１がラッチ受け部４３に引掛係止されていない状態では、破断箇所よりも先端側の部分が落下してしまう恐れがある。そこで、灯具本体１０の先端側の部分の落下を防止するためには固定ねじ３９の取付部位を灯具本体１０の先端により近い位置に設けることが望ましいが、透光板１６の上方を落下防止ワイヤ３８が通ると、落下防止ワイヤ３８によって光が遮られてしまうので、固定ねじ３９の取付部位を透光板１６よりも灯具本体１０の先端に近い位置に設けることは難しかった。
【０００９】
本発明は上記事由に鑑みて為されたものであり、その目的は、灯具本体の落下を防止でき且つ施工作業が容易な照明器具を提供することにある。
【００１０】
【課題を解決するための手段】
請求項１の発明は、上記目的を達成するために、上面開口し光源を保持するとともに支柱に取り付けるための取付部を一端部に有する灯具本体と、灯具本体の上面を開放する位置と塞ぐ位置との間で開閉自在となるように灯具本体の支柱側の上記一端部に枢着される蓋体と、灯具本体および蓋体それぞれにおいて支柱から遠い側の各先端部の一方に取り付けたラッチ部材を他方に取り付けたラッチ受け部材に引掛係止して蓋体により灯具本体の上面を塞いだ状態を保持するラッチ装置と、上記各先端部の一方に設けたロック用フックと他方に設けたロック部とが上下方向において互いに引っ張り合うように噛み合うことにより灯具本体の落下を防止する落下防止装置とを備えてなることを特徴とするものであり、蓋体を閉めた状態でラッチ部材がラッチ受け部材に引掛係止されていない場合に、何らかの外力により灯具本体が破断したとしても、破断箇所よりも支柱側の部分は支柱に保持され、破断箇所よりも先端側の部分ではロック用フックとロック部とが上下方向において互いに引っ張り合うように噛み合うことにより、破断箇所よりも先端側の部分が落下防止装置を介して蓋体に保持されて落下が防止されるので、従来のような落下防止用ワイヤを設ける必要がないから、支柱にあらかじめ丸棒を溶接しておく必要がなく、しかも、施工時に落下防止用ワイヤの一端側を丸棒に引っ掛けてから他端側を灯具本体に固定ねじで固定するための作業が不要となり、さらにラッチ部材が蓋体ないし灯具本体に対して動かないように固定するための開き防止ねじを設ける必要もないから、従来に比べて施工作業が容易になる。また、蓋体を閉めた状態でラッチ部材をラッチ受け部材に引掛係止するのを忘れたりラッチ部材が破損してラッチ受け部材から外れていたとしても、振動や風などによって蓋体が開くのを防止することができる。
【００１１】
請求項２の発明は、請求項１の発明において、前記ロック部は、前記蓋体を閉じた状態で前記ロック用フックが内側に配置されるロ字状の形状に形成されたロック体と、ロック体の上端縁から斜め上方へ延設され前記蓋体を閉じる時に前記ロック用フックをロック体の内側へ誘導する誘導片とを有するので、前記蓋体を容易に閉じることが可能となるとともに、前記蓋体を閉じる作業を行うだけで別の作業を行うことなしに前記ロック用フックをロック体の内側に配置することが可能となる。
【００１２】
請求項３の発明は、請求項１または請求項２の発明において、前記ロック用フックは、前記ラッチ受け部材から連続一体に延設されているので、前記ロック用フックを個別部品として設ける場合に比べて部品点数を削減することができ、組立作業が容易になるとともに低コスト化を図れる。
【００１３】
請求項４の発明は、請求項１または請求項２の発明において、前記ロック用フックは、上記各先端部の一方の一部と、前記ラッチ受け部材とで構成されているので、前記ロック用フックを個別部品として設ける場合に比べて部品点数を削減することができ、組立作業が容易になるとともに低コスト化を図れる。また、請求項３の発明に比べて前記ロック用フックで受けることのできる荷重を大きくすることができる。
【００１４】
【発明の実施の形態】
（実施形態１）
本実施形態の照明器具は、図１ないし図３に示すように、上面開口した箱状であって光源であるランプ３１を保持するアルミダイカスト製の灯具本体１０と、灯具本体１０の上面を開放する位置と塞ぐ位置との間で開閉自在となるように灯具本体１０の一端部（図１（ａ）における左端部）に蝶番４０によって枢着されたアルミダイカスト製の蓋体２０とで構成される外郭１を備えている。
【００１５】
灯具本体１０は、上記一端部に、道路などに立設したポールからなる支柱５０の先端部（上端部）５１に取り付けるための筒状の取付部１１が設けてあり、取付部１１の上端縁から内方へ内鍔片１１ａが延設されている。一方、支柱５０の先端部５１は、円筒状に形成されており、灯具本体１０の取付部１１に下方から挿入することによって先端部５１の先端縁が内鍔片１１ａの下面に当接して上下方向における灯具本体１０の位置決めがなされるようになっている。また、取付部１１には、外側面に頭部が露出し先端面が取付部１１の内部空間に臨む複数本の取付ボルト１４が設けてある。したがって、支柱５０の先端部５１に灯具本体１０を取り付ける際には、灯具本体１０の取付部１１に支柱５０の先端部５１を挿入し、取付ボルト１４を締め付けて取付ボルト１４の先端面を支柱５０の先端部５１の外周面に当接させる（圧接させる）ことによって、灯具本体１０を支柱５０の先端部５１に取り付けることができる。
【００１６】
外郭１の内部空間は、灯具本体１０の下壁から上方へ突設された仕切壁１０ａと、蓋体２０の上壁から下方へ突設された仕切壁２０ａとで独立した２つの空間に分割されており、図１（ａ）の左右方向において支柱５０側の空間が電源接続室２、支柱５０から遠い先端側の空間がランプ収納室３となっている。なお、蓋体２０の仕切壁２０ａは、灯具本体１０の仕切壁１０ａよりも厚肉に形成されており、蓋体２０の仕切壁２０ａの下端縁に形成した凹部２０ｄに、灯具本体１０の仕切壁１０ａの上端縁が弾接するパッキン２２を保持している。
【００１７】
ランプ収納室３には、ランプ３１、ランプ３１を着脱自在に保持するランプソケット３２、ランプ３１の光を下方へ反射させる反射板３３などが収納されている。ただし、ランプソケット３２は灯具本体１０に取り付けられ、反射板３３は蓋体２０に取り付けられている。反射板３３は下面開口したドーム状の形状に形成されている。一方、蓋体２０においてランプ収納室３に対応した部分は当該部分の中央部が上方に膨らんだドーム状の形状に形成されている。なお、電源接続室２には、ランプ３１に給電するための電源電線（図示せず）を接続する端子台（図示せず）などが収納されている。
【００１８】
灯具本体１０の下壁においてランプ収納室３に対応する部位にはランプ３１の光を下方へ取り出すための窓孔１５が形成されており、灯具本体１０の内側には窓孔１５を覆うガラス板のような透光板１６を保持する窓枠１７が取着されている。
【００１９】
また、灯具本体１０の周壁の上端縁から突起１０ｂを突設するとともに、蓋体２０の周壁の下端縁に突起１０ｂが入り込む凹部２０ｂを設けてある。ここに、凹部２０ｂの開口幅は突起１０ｂの厚さ寸法よりも大きく設定してあるが、蓋体２０を閉じた状態でランプ収納室３が密閉されるように、凹部２０ｂ内にパッキン２１を収納してある。したがって、蓋体２０を閉じた状態では、突起１０ｂがパッキン２１を弾性変形させた形で凹部２０ｂ内に入り込んで、ランプ収納室３が密閉されることになり、透光板１６の上面が汚れるのを防止することが可能となる。
【００２０】
ところで、本実施形態の照明器具では、灯具本体１０において支柱５０から遠い側の先端部（図１（ａ）における右端部）に取り付けたラッチ部材６１を蓋体２０に取り付けたラッチ受け部材たるラッチ受け金具８０に引掛係止して蓋体２０により灯具本体１０の上面を塞いだ状態を保持するラッチ装置６と、蓋体２０の先端部に設けたロック用フック８３と灯具本体１０の先端部に設けたロック部７２とが上下方向において互いに引っ張り合うように噛み合うことにより灯具本体１０の落下を防止する落下防止装置７とを備えている。
【００２１】
ここにおいて、ラッチ部材６１は、断面く字状の形状であって、一端部にラッチ突起６１ａが突設され、他端部が矩形環状のリンク６２に軸着されており、リンク６２およびラッチ押え金具７０を介して灯具本体１０に取り付けられている。したがって、ラッチ部材６１を手操作してラッチ部材６１を上下方向へ起伏させることができ、ラッチ部材６１を上下方向に起伏させることでリンク６２が揺動するようになっている。
【００２２】
ラッチ押え金具７０は、弾性を有する金属材料（例えば、弾性を有する板金など）により形成され、灯具本体１０の先端部（図１（ａ）における右端部）の上部に設けた取付台部１８の下面に２本の固定ねじ７６，７６を用いて取り付けられる押え片７１と、取付台部１８を囲むロ字状の上記ロック部７２とが連続一体に形成されている。ここに、取付台部１８の下面にはリンク６２を軸着する軸受凹部１８ａが形成されている。また、灯具本体１０は、取付台部１８の左右両側よりも下側の方が内側へ落ち込んでおり、ロック部７２を断面Ｌ字状に折曲してある。また、ロック部７２は、蓋体２０を閉じた状態でロック用フック８３が内側に配置されるロ字状の形状に形成されたロック体７２ａと、ロック体７２ａの上端縁から斜め上方へ延設され蓋体２０を閉じる時にロック用フック８３をロック体７２ａの内側へ誘導する誘導片７３とを有する。また、ロック体７２ａの内縁には蓋体２０が閉じた状態からわずかに開いた時にロック用フック８３が係合可能なロック溝７２ｂが形成されている。
【００２３】
ラッチ受け金具８０は、剛性の高い金属材料により形成されており、蓋体２０の先端部（図１（ａ）における右端部）の下部に設けた取付台部２８の先端面に２つの取付ねじ８６，８６を用いて取り付けられる矩形板状の取付片８１と、取付片８１の上端縁から斜め上方へ延設されラッチ突起６１ａが引掛係止される係止片８２と、取付片８１の下端縁から下方へ延設されたＪ字状の上記ロック用フック８３とを連続一体に備えている。なお、係止片８２とロック用フック８３とは取付片８１の厚み方向において互いに異なる方向へ延設されている。
【００２４】
しかるに、一端部が灯具本体１０に枢着された蓋体２０を閉める時には、蓋体２０の他端部である先端部が灯具本体１０の先端部に近づくように蓋体２０を回動させれば、ロック部７２の誘導片７３にロック用フック８３が当接し、ラッチ押え金具７０が図１（ｂ）における右側へ倒れるように撓む（変形する）ので、ロック用フック８３をロック体７２ａの内側に容易に追い込むことができる（導入することができる）。ここに、ロック用フック８３がロック体７２ａの内側に導入される瞬間にラッチ押え金具７０は撓む前の形に戻る。そして、蓋体２０を閉じた状態で上述のようにラッチ部材６１を手操作してラッチ突起６１ａを図３に示すようにラッチ受け金具８０の係止片８２に引掛係止させることで、蓋体２０が灯具本体１０の上面を塞いだ状態を保持することができるようになっている。
【００２５】
しかして、本実施形態の照明器具では、蓋体２０を閉めた状態でラッチ部材６１がラッチ受け部材たるラッチ受け金具８０に引掛係止されていない場合に、何らかの外力により灯具本体１０が図１（ａ）の左右方向の途中で破断したとしても、破断箇所よりも支柱５０側の部分は支柱５０に保持され、破断箇所よりも先端側の部分ではロック用フック８３とロック部７２とが上下方向において互いに引っ張り合うように噛み合う（ロック用フック８３がロック溝７２ａに係合する）ことにより、破断箇所よりも先端側の部分が落下防止装置７を介して蓋体２０に保持されて落下が防止されるので、図８ないし図１０に示した従来構成の照明器具のような落下防止用ワイヤ３８を設ける必要がないから、支柱５０にあらかじめ丸棒５２（図１１参照）を溶接しておく必要がなく、しかも、施工時に落下防止用ワイヤ３８の一端側を丸棒５２に引っ掛けてから他端側を灯具本体１０に固定ねじ３９（図１０参照）で固定するための作業が不要となり、さらにラッチ部材４１（図８および図９参照）が蓋体２０ないし灯具本体１０に対して動かないように固定するための開き防止ねじ４２（図８および図９参照）を設ける必要もないから、従来構成に比べて施工作業が容易になる。また、本実施形態の照明器具では、蓋体２０を閉めた状態でラッチ部材６１をラッチ受け部材たるラッチ受け金具８０に引掛係止するのを忘れたりラッチ部材６１が破損してラッチ受け金具８０から外れていたとしても、振動や風などによって蓋体２０が開くのを防止することができるという利点もある。
【００２６】
また、上述のロック部７２は、蓋体２０を閉じた状態でロック用フック８３が内側に配置されるロ字状の形状に形成されたロック体７２ａと、ロック体７２ａの上端縁から斜め上方へ延設され蓋体２０を閉じる時にロック用フック８３をロック体７２ａの内側へ誘導する誘導片７３とを有するので、蓋体２０を容易に閉じることが可能となるとともに、蓋体２０を閉じる作業を行うだけで別の作業を行うことなしにロック用フック８３をロック体７２ａの内側に配置することが可能となる。
【００２７】
また、ロック用フック８３は、ラッチ受け金具８０の取付片８１から連続一体に延設されているので、ロック用フック８３を個別部品として設ける場合に比べて部品点数を削減することができ、組立作業が容易になるとともに低コスト化を図れる。
【００２８】
（実施形態２）
本実施形態の照明器具の基本構成は実施形態１と略同じであって、図４ないし図７に示すように、蓋体２０の先端部（図４における右端部）に設けた取付台部２８とラッチ受け部材たるラッチ受け金具８０とでロック用フックを構成しており、このロック用フックとラッチ押え金具７０とで落下防止装置７を構成している点などが相違する。また、本実施形態では、ロック部７２のロック体７２ａは実施形態１のように断面Ｌ字状には折曲していない。なお、実施形態１と同様の構成要素には同一の符号を付して説明を省略する。
【００２９】
しかるに、一端部（図４における左端部）が蝶番４０によって灯具本体１０に枢着された蓋体２０を閉める時には、蓋体２０の他端部である先端部が灯具本体１０の先端部に近づくように蓋体２０を回動させれば、ロック部７２の誘導部７３に取付台部２８の下部が当接し、ラッチ押え金具７０が図６（ｂ）における右側へ倒れるように撓む（変形する）ので、取付台部２８およびラッチ受け金具８０からなるロック用フックをロック体７２ａの内側に容易に追い込むことができる（導入することができる）。ここに、ロック用フックがロック体７２ａの内側に導入される瞬間にラッチ押え金具７０は撓む前の形に戻る。そして、蓋体２０を閉じた状態でラッチ部材６１を手操作してラッチ突起６１ａを図７に示すようにラッチ受け金具８０の係止片８２に引掛係止させることで、蓋体２０が灯具本体１０の上面を塞いだ状態を保持することができるようになっている。なお、取付台部２８の下部は、誘導片７３へ当接する際に誘導片７３が破損したり引っ掛かるのを防止するために、図６（ａ）に示すように丸みをつけてある（先端面に近づくほど徐々に灯具本体１０からの距離が大きくなるように滑らかに傾斜させてある）。
【００３０】
しかして、本実施形態の照明器具では、実施形態１と同様、蓋体２０を閉めた状態でラッチ部材６１がラッチ受け部材たるラッチ受け金具８０に引掛係止されていない場合に、何らかの外力により灯具本体１０が図４の左右方向の途中で破断したとしても、破断箇所よりも支柱５０側の部分は支柱５０に保持され、破断箇所よりも先端側の部分ではロック用フックとロック部７２とが上下方向において互いに引っ張り合うように噛み合うことにより、破断箇所よりも先端側の部分が落下防止装置７を介して蓋体２０に保持されて落下が防止されるので、図８ないし図１０に示した従来構成の照明器具のような落下防止用ワイヤ３８を設ける必要がないから、支柱５０にあらかじめ丸棒５２（図１１参照）を溶接しておく必要がなく、しかも、施工時に落下防止用ワイヤ３８の一端側を丸棒５２に引っ掛けてから他端側を灯具本体１０に固定ねじ３９（図１０参照）で固定するための作業が不要となり、さらにラッチ部材４１（図８および図９参照）が蓋体２０ないし灯具本体１０に対して動かないように固定するための開き防止ねじ４２（図８および図９参照）を設ける必要もないから、従来構成に比べて施工作業が容易になる。また、本実施形態の照明器具では、蓋体２０を閉めた状態でラッチ部材６１をラッチ受け部材たるラッチ受け金具８０に引掛係止するのを忘れたりラッチ部材６１が破損してラッチ受け金具８０から外れていたとしても、振動や風などによって蓋体２０が開くのを防止することができるという利点もある。
【００３１】
また、本実施形態の照明器具では、ロック用フックが、蓋体２０の先端部の一部である取付台部２８と、ラッチ受け部材たるラッチ受け金具８０とで構成されているので、ロック用フックを個別部品として設ける場合に比べて部品点数を削減することができ、組立作業が容易になるとともに低コスト化を図れる。また、実施形態１に比べてロック用フックで受けることのできる荷重を大きくすることができる。
【００３２】
なお、上記各実施形態では、灯具本体１０の先端部にラッチ部材６１を取り付けるとともに、蓋体２０の先端部にラッチ受け部材たるラッチ受け金具８０を取り付けてあるが、蓋体２０にラッチ部材６１を取り付けて灯具本体１０にラッチ受け金具８０を取り付けるようにしてもよい。また、上記各実施形態では、蓋体２０にロック用フックを設けて灯具本体１０にロック部７２を設けてあるが、灯具本体１０にロック用フックを設けて蓋体２０にロック部７２を設けるようにしてもよい。また、上記各実施形態では、支柱５０としてポールを想定してあるが、支柱５０としてアームを想定してもよいことは勿論である。
【００３３】
【発明の効果】
請求項１の発明は、上面開口し光源を保持するとともに支柱に取り付けるための取付部を一端部に有する灯具本体と、灯具本体の上面を開放する位置と塞ぐ位置との間で開閉自在となるように灯具本体の支柱側の上記一端部に枢着される蓋体と、灯具本体および蓋体それぞれにおいて支柱から遠い側の各先端部の一方に取り付けたラッチ部材を他方に取り付けたラッチ受け部材に引掛係止して蓋体により灯具本体の上面を塞いだ状態を保持するラッチ装置と、上記各先端部の一方に設けたロック用フックと他方に設けたロック部とが上下方向において互いに引っ張り合うように噛み合うことにより灯具本体の落下を防止する落下防止装置とを備えてなるものであり、蓋体を閉めた状態でラッチ部材がラッチ受け部材に引掛係止されていない場合に、何らかの外力により灯具本体が破断したとしても、破断箇所よりも支柱側の部分は支柱に保持され、破断箇所よりも先端側の部分ではロック用フックとロック部とが上下方向において互いに引っ張り合うように噛み合うことにより、破断箇所よりも先端側の部分が落下防止装置を介して蓋体に保持されて落下が防止されるので、従来のような落下防止用ワイヤを設ける必要がないから、支柱にあらかじめ丸棒を溶接しておく必要がなく、しかも、施工時に落下防止用ワイヤの一端側を丸棒に引っ掛けてから他端側を灯具本体に固定ねじで固定するための作業が不要となり、さらにラッチ部材が蓋体ないし灯具本体に対して動かないように固定するための開き防止ねじを設ける必要もないから、従来に比べて施工作業が容易になるという効果がある。また、蓋体を閉めた状態でラッチ部材をラッチ受け部材に引掛係止するのを忘れたりラッチ部材が破損してラッチ受け部材から外れていたとしても、振動や風などによって蓋体が開くのを防止することができるという利点がある。
【００３４】
請求項２の発明は、請求項１の発明において、前記ロック部は、前記蓋体を閉じた状態で前記ロック用フックが内側に配置されるロ字状の形状に形成されたロック体と、ロック体の上端縁から斜め上方へ延設され前記蓋体を閉じる時に前記ロック用フックをロック体の内側へ誘導する誘導片とを有するので、前記蓋体を容易に閉じることが可能となるとともに、前記蓋体を閉じる作業を行うだけで別の作業を行うことなしに前記ロック用フックをロック体の内側に配置することが可能となるという効果がある。
【００３５】
請求項３の発明は、請求項１または請求項２の発明において、前記ロック用フックは、前記ラッチ受け部材から連続一体に延設されているので、前記ロック用フックを個別部品として設ける場合に比べて部品点数を削減することができ、組立作業が容易になるとともに低コスト化を図れるという効果がある。
【００３６】
請求項４の発明は、請求項１または請求項２の発明において、前記ロック用フックは、上記各先端部の一方の一部と、前記ラッチ受け部材とで構成されているので、前記ロック用フックを個別部品として設ける場合に比べて部品点数を削減することができ、組立作業が容易になるとともに低コスト化を図れるという効果がある。また、請求項３の発明に比べて前記ロック用フックで受けることのできる荷重を大きくすることができる。
【図面の簡単な説明】
【図１】実施形態１の照明器具を示し、（ａ）は断面図、（ｂ）は蓋体が閉じられる直前の状態における要部断面図、（ｃ）は蓋体が閉じられる直前の状態における要部正面図である。
【図２】同上の照明器具の一部破断した正面図である。
【図３】同上の照明器具において蓋体を閉じた状態を示し、（ａ）は要部断面図、（ｂ）は要部正面図である。
【図４】実施形態２の照明器具の断面図である。
【図５】同上の照明器具の一部破断した正面図である。
【図６】同上において蓋体が閉じられる直前の状態を示し、（ａ）は要部断面図、（ｂ）は要部正面図である。
【図７】同上において蓋体を閉じた状態を示し、（ａ）は要部断面図、（ｂ）は要部正面図である。
【図８】従来例を示し使用形態における概略斜視図である。
【図９】同上を示し、蓋体を開いた状態の概略斜視図である。
【図１０】同上の一部破断した要部平面図である。
【図１１】同上を取り付ける支柱の一部破断した斜視図である。
【符号の説明】
１　外郭
２　電源接続室
３　ランプ収納室
６　ラッチ装置
７　落下防止装置
１０　灯具本体
１１　取付部
２０　蓋体
３１　ランプ
３２　ランプソケット
３３　反射板
５０　支柱
５１　先端部
６１　ラッチ部材
６１ａ　ラッチ突起
７０　ラッチ押え金具
７１　押え片
７２　ロック部
７２ａ　ロック体
７２ｂ　ロック溝
７３　誘導片
８０　ラッチ受け金具
８１　取付片
８２　係止片
８３　フック用フック
【図１】
2004079241.tif 000003
【図２】
2004079241.tif 000004
【図３】
2004079241.tif 000005
【図４】
2004079241.tif 000006
【図５】
2004079241.tif 000007
【図６】
2004079241.tif 000008
【図７】
2004079241.tif 000009
【図８】
2004079241.tif 000010
【図９】
2004079241.tif 000011
【図１０】
2004079241.tif 000012
【図１１】
2004079241.tif 000013